(57)【要約】【課題】  被写体の撮影を行う撮影手段によって撮影された画像に基づいて、プリント媒体に対して画像の出力を行う写真撮影プリント装置において、撮影時における照明状態をより良好にする写真撮影プリント装置を提供する。【解決手段】  カメラユニット２３による撮影方向を側面から見た際に、カメラユニット２３における表面レンズの位置が、該カメラユニット２３の近傍における正面上部ライト２１Ａ・２１Ｂの発光板の位置とほぼ同じ位置に配置されている。また、ライブビューモニター２２における表示面の位置が、カメラユニット２３における表面レンズの位置あるいは表面レンズ回りのフード位置のいずれか撮影方向前方側の位置よりも撮影方向後方となっている。【選択図】  図１
2006058794.tif 000002
【特許請求の範囲】
【請求項１】
被写体の撮影を行う撮影手段によって撮影された画像に基づいて、プリント媒体に対して画像の出力を行う写真撮影プリント装置において、
上記撮影手段によって撮影されている画像をリアルタイムで表示する表示手段と、
上記撮影手段の近傍に設けられた、少なくとも写真撮影時に被写体に光を照射する照明手段とを備え、
上記撮影手段による撮影方向を側面から見た際に、上記撮影手段における表面レンズの位置が、該撮影手段の近傍における上記照明手段の発光板の位置とほぼ同じ位置に配置されており、
上記表示手段における表示面の位置が、上記撮影手段における表面レンズの位置あるいは表面レンズ回りのフード位置のいずれか撮影方向前方側の位置よりも撮影方向後方となっていることを特徴とする写真撮影プリント装置。
【請求項２】
上記照明手段が、上記表示手段の少なくとも一部の周囲にも配置されているとともに、
上記表示手段における表示面の位置が、該表示手段の近傍における上記照明手段の発光板の位置よりも撮影方向後方となっていることを特徴とする請求項１記載の写真撮影プリント装置。
【請求項３】
上記表示手段の少なくとも一部の外周と、該表示手段の近傍における上記照明手段の発光板の発光面とを結ぶ面からも光が出射されることを特徴とする請求項２記載の写真撮影プリント装置。
【請求項４】
上記表示手段の画面サイズが、１０〜１５インチの範囲であることを特徴とする請求項１記載の写真撮影プリント装置。
【請求項５】
上記表示手段の枠部分が白色、薄灰色、および銀色のいずれかによって着色されていることを特徴とする請求項１記載の写真撮影プリント装置。
【請求項６】
被写体の撮影を行う撮影手段によって撮影された画像に基づいて、プリント媒体に対して画像の出力を行う写真撮影プリント装置において、
少なくとも写真撮影時に被写体に光を照射する照明手段を備え、
上記照明手段が、
第１の方向において互いに平行に配置された複数の第１スリットと、
互いに隣り合う上記第１スリット同士の間となるスリット間領域のそれぞれに、上記第１の方向にほぼ垂直な第２の方向となるように設けられる複数の第２スリットとを光出射側領域に備え、
任意のスリット間領域に設けられている第２スリットの第１の方向における配置位置と、そのスリット間領域に隣り合うスリット間領域に設けられている第２スリットの第１の方向における配置位置とが異なっていることを特徴とする写真撮影プリント装置。
【請求項７】
上記照明手段が、上記撮影手段によって撮影される被写体の後方から該被写体に対して光を照射するような位置に配置されていることを特徴とする請求項６記載の写真撮影プリント装置。
【請求項８】
被写体の撮影を行う撮影手段によって撮影された画像に基づいて、プリント媒体に対して画像の出力を行う写真撮影プリント装置において、
上記撮影手段による撮影領域の背景となる背景シートと、
上記背景シートに対して、撮影空間側とは反対側の領域に配置され、少なくとも写真撮影時に該背景シートに光を照射する照明手段を備え、
上記照明手段が、上記撮影手段による撮像範囲領域における左右方向の中心線近傍で、かつ、上記背景シートの下部領域となる高さ位置に設けられていることを特徴とする写真撮影プリント装置。
【請求項９】
被写体の撮影を行う撮影手段によって撮影された画像に基づいて、プリント媒体に対して画像の出力を行う写真撮影プリント装置において、
上記撮影手段の近傍に設けられた、少なくとも写真撮影時に被写体に光を照射する照明手段と、
上記照明手段の端部のうち、撮影方向正面側から見て上記撮影手段から最も遠い位置となる左側端部および右側端部において、撮影空間側に突き出すように設けられた側面部とを備え、
上記側面部が黒色、濃灰色、濃紺、茶色、および濃緑のいずれかによって着色されていることを特徴とする写真撮影プリント装置。
【発明の詳細な説明】
【技術分野】
【０００１】
本発明は、利用者の写真撮影を行うとともに、その写真を背景画像や落書き画像などと合成した上で写真プリントとして出力する写真撮影プリント装置に関するものである。
【背景技術】
【０００２】
従来、例えばゲームセンターなどの娯楽施設において、利用者の写真撮影を行うとともに、その写真を背景画像などと合成した上でシールプリントとして出力する写真撮影プリント装置が設置されており、人気を博している。この写真撮影プリント装置には、撮影した画像上に利用者が付属のタッチペンで任意の文字や図形などを書き込むことが可能となっているものも存在している。このような写真撮影プリント装置での処理は、コイン投入、撮影処理、編集（落書き）処理、シール印刷という流れになっており、一連の操作を終了した利用者は、投入したコインに対する成果物であるシールプリントを受け取ることによってプレイを終了することになる。
【０００３】
上記の写真撮影プリント装置において、撮影処理は、例えば次のように行われる。表示画面上にデジタルカメラによって撮影されている撮影画面がリアルタイムで表示される。利用者は、この撮影画面を見ながらポーズや立ち位置を考えて撮影の構図を設定する。そして、撮影の準備が完了した時点でシャッターボタンが利用者によって押されると、カウントダウンの後に、フラッシュとともに撮影が行われる。
【０００４】
従来では、撮影時における照明としては、カメラユニットなどが内蔵される筐体において、カメラユニットの上部や左右部に照明装置を設け、これによる撮影が行われていた。
【特許文献１】特開平１０−２８２５７１号公報（公開日１９９８年１０月２３日）
【特許文献２】特開２００３−１９５４１２号公報（公開日２００３年７月９日）
【特許文献３】特開平１０−３０４２８５号公報（公開日１９９８年１１月１３日）
【特許文献４】特開２００３−３０４４７４号公報（公開日２００３年１０月２４日）
【発明の開示】
【発明が解決しようとする課題】
【０００５】
上記のような写真撮影プリント装置において、被写体に対して正面から光を照射する照明装置が設けられるとともに、カメラユニットの近傍には、撮影状態をリアルタイムで表示するライブビューモニターが設けられることになる。被写体がカメラユニット方向を見る場合と、ライブビューモニターを見る場合とで、姿勢にあまり変化を与えないために、ライブビューモニターは、カメラユニットの近傍に配置されることになる。
【０００６】
ここで、例えば被写体がカメラユニットに近づいて近接撮影を行う場合には、被写体はライブビューモニターにも近づくことになる。すると、非発光体としてのライブビューモニターによる被写体への照明への影響が大きくなり、近接撮影時に被写体への光量が低下するという問題がある。また、被写体がライブビューモニターを見やすくするために、ライブビューモニターを照明装置よりも撮影方向前方に位置するように設置されている場合、近接撮影時に被写体への光量が低下するだけでなく、ライブビューモニター自体の陰影が被写体に映る可能性がある。
【０００７】
また、例えば被写体の背後に、被写体の頭髪部分をきれいに照明するための照明装置が配置されることが考えられる。このような照明装置は、必要な領域にのみ光を照射することを可能とするために、光出射側領域にスリットを設けた構成とすることが考えられる。しかしながら、スリットを単純に格子状に設けると、スリットの影による縞状の光照射むらが生じるという問題がある。
【０００８】
また、撮像画像において、被写体の前方から照射される光による被写体の影となることによって、背景の中心近傍下部領域が暗くなってしまうことがある。この場合、その後の編集処理において、例えばクロマキー処理などを行う際に、暗くなっている領域の色を抜くことができなくなる、というような不具合が生じるという問題がある。
【０００９】
また、被写体に対して前方から光を照射する際に、左右に広い方向から光が被写体に照射されると、被写体の顔の側面における陰影が必要以上に消えてしまい、立体感のないのっぺりとした撮像となるという問題がある。
【００１０】
本発明は、上記の問題点に鑑みてなされたものであり、その目的は、被写体の撮影を行う撮影手段によって撮影された画像に基づいて、プリント媒体に対して画像の出力を行う写真撮影プリント装置において、撮影時における照明状態をより良好にする写真撮影プリント装置を提供することにある。
【００１１】
また、より詳細には、本発明の目的は、撮影空間を広く確保した上で、被写体に対する照明状態を良好にすることが可能な写真撮影プリント装置を提供することにある。
【００１２】
さらに、本発明の目的は、必要な領域にのみ光を照射することを可能とするために、光出射側領域にスリットを設けるとともに、コストの上昇を抑制しつつ、スリットの影による影響を抑えることが可能となる照明手段を備えた写真撮影プリント装置を提供することにある。
【００１３】
さらに、本発明の目的は、被写体の影となることによる背景の中心近傍下部領域の明度低下を防止することが可能な写真撮影プリント装置を提供することにある。
【００１４】
さらに、本発明の目的は、左右に広い方向から光が被写体に照射されることによって、被写体の顔の側面における陰影が必要以上に消えてしまい、立体感のないのっぺりとした撮像となることを防止することが可能な写真撮影プリント装置を提供することにある。
【課題を解決するための手段】
【００１５】
本発明に係る写真撮影プリント装置は、上記課題を解決するために、被写体の撮影を行う撮影手段によって撮影された画像に基づいて、プリント媒体に対して画像の出力を行う写真撮影プリント装置において、上記撮影手段によって撮影されている画像をリアルタイムで表示する表示手段と、上記撮影手段の近傍に設けられた、少なくとも写真撮影時に被写体に光を照射する照明手段とを備え、上記撮影手段による撮影方向を側面から見た際に、上記撮影手段における表面レンズの位置が、該撮影手段の近傍における上記照明手段の発光板の位置とほぼ同じ位置に配置されており、上記表示手段における表示面の位置が、上記撮影手段における表面レンズの位置あるいは表面レンズ回りのフード位置のいずれか撮影方向前方側の位置よりも撮影方向後方となっていることを特徴としている。
【００１６】
上記の構成によれば、まず、撮影手段における表面レンズの位置が、該撮影手段の近傍における上記照明手段の発光板の位置とほぼ同じ前後方向位置に配置されている。これにより、撮影手段および照明手段を備える本体装置の撮影方向正面となる面を凹凸の少ない状態にすることが可能となる。よって、例えば撮影手段が照明手段よりも手前に突き出した構成と比較して、撮影空間をより広く確保することが可能となる。
【００１７】
また、上記の構成によれば、表示手段における表示面の位置が、撮影手段における表面レンズの位置あるいは表面レンズ回りのフード位置のいずれか撮影方向前方側の位置よりも撮影方向後方となっている。これにより、撮影時、特に近接撮影時において、照明装置としては機能しない表示手段の影響による、被写体に対する光量の低下を防止すること、および、ライブビューモニター自体の陰影が被写体に映ることを防止することができる。      
【００１８】
すなわち、上記の構成によれば、撮影空間を広く確保した上で、被写体に対する照明状態を良好にすることが可能な写真撮影プリント装置を提供することができる。
【００１９】
なお、撮影手段の近傍に設けられる照明手段とは、撮影手段の周囲から２０ｃｍ以内程度の距離範囲に発光面が含まれる照明手段に相当する。
【００２０】
また、本発明に係る写真撮影プリント装置は、上記の構成において、上記照明手段が、上記表示手段の少なくとも一部の周囲にも配置されているとともに、上記表示手段における表示面の位置が、該表示手段の近傍における上記照明手段の発光板の位置よりも撮影方向後方となっている構成としてもよい。
【００２１】
上記の構成によれば、表示手段が照明手段よりも被写体側からみて奥側に配置されていることになるので、表示手段が配置されていることによる照明状態への影響をさらに低減することが可能となる。
【００２２】
また、本発明に係る写真撮影プリント装置は、上記の構成において、上記表示手段の少なくとも一部の外周と、該表示手段の近傍における上記照明手段の発光板の発光面とを結ぶ面からも光が出射される構成としてもよい。
【００２３】
上記の構成によれば、表示手段と照明手段の発光面との間の凹部面からも光が出射されることになる。この凹部面から出射された光は、その一部が表示手段の表面で反射されて被写体に照射されることになる。これにより、非発光体としての表示手段による被写体への照明への影響をさらに低減することが可能となる。
【００２４】
また、本発明に係る写真撮影プリント装置は、上記の構成において、上記表示手段の画面サイズが、１０〜１５インチの範囲である構成としてもよい。
【００２５】
上記の構成によれば、表示手段の画面サイズが、従来のライブビューモニターの画面サイズよりも大きいので、撮影時の撮影画面（ライブビュー）をより大きく表示することが可能となる。よって、利用者は、自分が撮影されている状態をより詳細に確認することが可能となる。
【００２６】
また、このように表示手段の画面サイズを大きくしても、本発明の構成によれば、表示手段が大きくなることによる被写体に対する照明状態への影響を最小限にすることが可能となっている。
【００２７】
また、本発明に係る写真撮影プリント装置は、上記の構成において、上記表示手段の枠部分が白色、薄灰色、および銀色のいずれかによって着色されている構成としてもよい。
【００２８】
上記の構成によれば、照明手段から出射された光が上記枠部分で反射されやすくなるので、非発光体としての表示手段による被写体への照明への影響をさらに低減することが可能となる。
【００２９】
また、本発明に係る写真撮影プリント装置は、上記の課題を解決するために、被写体の撮影を行う撮影手段によって撮影された画像に基づいて、プリント媒体に対して画像の出力を行う写真撮影プリント装置において、少なくとも写真撮影時に被写体に光を照射する照明手段を備え、上記照明手段が、第１の方向において互いに平行に配置された複数の第１スリットと、互いに隣り合う上記第１スリット同士の間となるスリット間領域のそれぞれに、上記第１の方向にほぼ垂直な第２の方向となるように設けられる複数の第２スリットとを光出射側領域に備え、任意のスリット間領域に設けられている第２スリットの第１の方向における配置位置と、そのスリット間領域に隣り合うスリット間領域に設けられている第２スリットの第１の方向における配置位置とが異なっていることを特徴としている。
【００３０】
上記の構成によれば、照明手段の光出射側領域に、複数の第１スリットおよび第２スリットが設けられている。これにより、照明手段の光源から出射された拡散光を、複数の第１スリットおよび第２スリットの間を通過させることによって、指向性を有する光として外部に出射することが可能となる。よって、必要な領域にのみ光を照射することが可能となり、撮像状態を良好にするための照明状態のコントロールを行い易くすることが可能となる。
【００３１】
また、任意のスリット間領域に設けられている第２スリットの第１の方向における配置位置と、そのスリット間領域に隣り合うスリット間領域に設けられている第２スリットの第１の方向における配置位置とが異なっているので、各第２スリットによる影が生じる場所が分散されることになる。よって、第２スリットによる影の影響を緩和することができるので、より均一な光を光照射対象に照射することが可能となる。
【００３２】
また、上記の構成によれば、複数の第１スリットを直線状に形成した後に、スリット間領域に複数の第２スリットを形成すればよいので、例えば六角形状のハニカム構造のスリットを形成する場合と比較して、比較的容易にスリットを形成することが可能となる。すなわち、上記のようなスリット構造によれば、コストの上昇を抑制しつつ、スリットの影による影響を抑えることが可能となる。
【００３３】
また、本発明に係る写真撮影プリント装置は、上記の構成において、上記照明手段が、上記撮影手段によって撮影される被写体の後方から該被写体に対して光を照射するような位置に配置されている構成としてもよい。
【００３４】
上記の構成によれば、第１スリットおよび第２スリットを通過することによって指向性を有した光を、被写体の後方から照射することが可能となる。よって、例えば被写体の頭髪部分にきれいな光があたっている状態での撮影が可能となる。また、照射する光は指向性を有しているので、不要な領域への光の照射が抑制されることになり、被写体の後方から光を照射したとしても照明環境に対する悪影響を回避することができる。
【００３５】
また、本発明に係る写真撮影プリント装置は、上記の課題を解決するために、被写体の撮影を行う撮影手段によって撮影された画像に基づいて、プリント媒体に対して画像の出力を行う写真撮影プリント装置において、上記撮影手段による撮影領域の背景となる背景シートと、上記背景シートに対して、撮影空間側とは反対側の領域に配置され、少なくとも写真撮影時に該背景シートに光を照射する照明手段を備え、上記照明手段が、上記撮影手段による撮像範囲領域における左右方向の中心線近傍で、かつ、上記背景シートの下部領域となる高さ位置に設けられていることを特徴としている。
【００３６】
上記の構成によれば、照明手段によって背景シートの裏側から背景シートの中心近傍下部領域が照明されることになる。このような照明が行われない状態で撮影が行われると、前記したように、撮像画像において、被写体の前方から照射される光による被写体の影となることによって、背景の中心近傍下部領域が暗くなってしまうことがある。この場合、その後の編集処理において、例えばクロマキー処理などを行う際に、暗くなっている領域の色を抜くことができなくなる、というような不具合が生じることになる。これに対して、上記の構成によれば、背景シートの中心近傍下部領域が照明されることによって、被写体の影となることによる背景の中心近傍下部領域の明度低下を防止することが可能となるので、背景全域に対して的確にクロマキー処理を行うことが可能となる。
【００３７】
なお、背景シートは、裏側から照明された光の影響が表側に生じる程度の光の透過を有するものであることが好ましい。
【００３８】
また、本発明に係る写真撮影プリント装置は、上記の課題を解決するために、被写体の撮影を行う撮影手段によって撮影された画像に基づいて、プリント媒体に対して画像の出力を行う写真撮影プリント装置において、上記撮影手段の近傍に設けられた、少なくとも写真撮影時に被写体に光を照射する照明手段と、上記照明手段の端部のうち、撮影方向正面側から見て上記撮影手段から最も遠い位置となる左側端部および右側端部において、撮影空間側に突き出すように設けられた側面部とを備え、上記側面部が黒色、濃灰色、濃紺、茶色、および濃緑のいずれかによって着色されていることを特徴としている。
【００３９】
上記の構成によれば、照明手段の左右端部に撮影空間側に突き出すように設けられた側面部が、黒色、濃灰色、濃紺、茶色、および濃緑のいずれかによって着色されているので、照明手段から出射された光が、側面部において反射されて被写体の左右方向から光が照射されることを抑制することが可能となっている。これにより、左右に広い方向から光が被写体に照射されることによって、被写体の顔の側面における陰影が必要以上に消えてしまい、立体感のないのっぺりとした撮像となることを防止することができる。
【発明の効果】
【００４０】
本発明に係る写真撮影プリント装置は、以上のように、上記撮影手段による撮影方向を側面から見た際に、上記撮影手段における表面レンズの位置が、該撮影手段の近傍における上記照明手段の発光板の位置とほぼ同じ位置に配置されており、上記表示手段における表示面の位置が、上記撮影手段における表面レンズの位置あるいは表面レンズ回りのフード位置のいずれか撮影方向前方側の位置よりも撮影方向後方となっている構成である。
【００４１】
これにより、撮影空間を広く確保した上で、被写体に対する照明状態を良好にすることが可能な写真撮影プリント装置を提供することができるという効果を奏する。
【００４２】
また、本発明に係る写真撮影プリント装置は、以上のように、上記照明手段が、第１の方向において互いに平行に配置された複数の第１スリットと、互いに隣り合う上記第１スリット同士の間となるスリット間領域のそれぞれに、上記第１の方向にほぼ垂直な第２の方向となるように設けられる複数の第２スリットとを光出射側領域に備え、任意のスリット間領域に設けられている第２スリットの第１の方向における配置位置と、そのスリット間領域に隣り合うスリット間領域に設けられている第２スリットの第１の方向における配置位置とが異なっている構成である。
【００４３】
これにより、コストの上昇を抑制しつつ、スリットの影による影響を抑えることが可能となるという効果を奏する。
【００４４】
また、本発明に係る写真撮影プリント装置は、以上のように、上記照明手段が、上記撮影手段による撮像範囲領域における左右方向の中心線近傍で、かつ、上記背景シートの下部領域となる高さ位置に設けられている構成である。
【００４５】
これにより、背景シートの中心近傍下部領域が照明されることによって、被写体の影となることによる背景の中心近傍下部領域の明度低下を防止することが可能となるので、背景全域に対して的確にクロマキー処理を行うことが可能となるという効果を奏する。
【００４６】
また、本発明に係る写真撮影プリント装置は、以上のように、上記照明手段の端部のうち、撮影方向正面側から見て上記撮影手段から最も遠い位置となる左側端部および右側端部において、撮影空間側に突き出すように設けられた側面部が黒色、濃灰色、濃紺、茶色、および濃緑のいずれかによって着色されている構成である。
【００４７】
これにより、左右に広い方向から光が被写体に照射されることによって、被写体の顔の側面における陰影が必要以上に消えてしまい、立体感のないのっぺりとした撮像となることを防止することができるという効果を奏する。
【発明を実施するための最良の形態】
【００４８】
本発明の一実施形態について図１ないし図８に基づいて説明すると以下の通りである。
【００４９】
本実施の形態に係る写真撮影プリント装置１は、利用者の写真を撮影する機能（撮影機能）、撮影した写真に対して落書きなどの編集を利用者に行わせる機能（編集機能）、および編集された画像をプリントする機能（プリント機能）を備えているものである。なお、これらの機能は全て必須であるものではなく、例えば編集機能が省かれた構成とすることも可能である。
【００５０】
（写真撮影プリント装置の外観説明）
まず、図２および図３を参照しながら、写真撮影プリント装置１の外観について説明する。これらの図に示すように、写真撮影プリント装置１は、本体装置２、背景装置３、および第２編集装置４を備えた構成となっている。本体装置２と背景装置３との間には空間が設けられており、この空間は、利用者の撮影が行われる撮影空間となっている。また、背景装置３における撮影空間とは反対側に第２編集装置４が設けられている。
【００５１】
本体装置２における撮影空間とは反対側の面には、図３に示すように、２つの編集処理用タッチパネル１３Ａ・１３Ｂが設けられている。編集処理用タッチパネル１３Ａ・１３Ｂは、落書きなどの編集処理における各種メッセージや画像などを表示する。具体的には、編集処理用タッチパネル１３Ａ・１３Ｂには、落書きなどの画像編集処理時における編集対象の画像および各種編集ツールなどが表示される。
【００５２】
編集処理用タッチパネル１３Ａ・１３Ｂのそれぞれの近傍には、図示はしていないが、タッチペンが備えられている。利用者は、このタッチペンを編集処理用タッチパネル１３Ａ・１３Ｂに接触させることによって、処理の進行に応じて表示されるボタンを選択したり、落書きなどの画像描画を行ったりすることが可能となる。
【００５３】
編集処理用タッチパネル１３Ａ・１３Ｂが配置される周囲の領域は、第１編集空間となっており、この第１編集空間の周囲には、遮光性を有するビニールシートなどから構成される第１カーテン６Ａが設けられている。この第１カーテン６Ａによって、落書き処理中における照明や音声による演出が効果的になるとともに、外部からののぞき見等を防いでプライバシーを保護することが可能となる。
【００５４】
また、第２編集装置４における背景装置３側とは反対側の面には、図示はしないが、編集処理用タッチパネルが設けられている。この編集処理用タッチパネルは、第１編集空間に配置されている編集処理用タッチパネル１３Ａ・１３Ｂと同様のものである。そして、第２編集装置４における編集処理用タッチパネルが配置される周囲の領域は、第２編集空間となっており、この第２編集空間の周囲には、遮光性を有するビニールシートなどから構成される第２カーテン６Ｂが設けられている。この第２カーテン６Ｂによって、第１カーテン６Ａと同様に、落書き処理中における照明や音声による演出が効果的になるとともに、外部からののぞき見等を防いでプライバシーを保護することが可能となる。
【００５５】
本実施形態では、上記のように、第１編集空間および第２編集空間のそれぞれに編集処理用タッチパネルが設けられている。これにより、各編集処理用タッチパネルにそれぞれに表示された撮影画像に、複数の利用者が同時に落書き処理などを入力することができる。なお、各編集処理用タッチパネルには、異なる撮影画像をそれぞれ表示させることができ、利用者は、別々の撮影画像に対して落書き処理などを入力することもできる。また、落書き処理において、一方の編集処理用タッチパネルから入力された落書き処理を他方の編集処理用タッチパネルに反映される反映処理や落書き可能範囲を制限する処理などが行われるようになっていてもよい。
【００５６】
なお、本実施形態では、編集空間を２箇所に設けた構成としているが、編集空間を１箇所とした構成としてもよいし、３箇所以上設けた構成としてもかまわない。また、本実施形態では、第１編集空間内に２つの編集処理用タッチパネル１３Ａ・１３Ｂを設けた構成としているが、第１編集空間内に１つまたは３つ以上の編集処理用タッチパネルを設けた構成としてもよい。
【００５７】
また、本体装置２において、撮影空間側から見て右側面には、印刷待機用タッチパネル１１が設けられている。また、印刷待機用タッチパネル１１の下部には、プリント排出口１２が設けられている。プリント排出口１２は、利用者が撮影処理および編集処理を終了した後に、プリントされた写真プリントが排出される箇所である。編集作業を終了した利用者は、このプリント排出口１９の近傍に移動して写真プリントが排出されるのを待機することになる。印刷待機用タッチパネル１１は、利用者が写真プリントの排出を待機している間に、各種情報や広告の表示、アンケート入力画面の表示、利用者によって行われる待機用ゲームなどの表示、などを行う。
【００５８】
このような印刷待機処理が行われる領域は印刷待機空間となっており、この印刷待機空間の周囲には、遮光性を有するビニールシートなどから構成される第３カーテン６Ｃが設けられている。この第３カーテン６Ｃによって、第１カーテン６Ａ、および第２カーテン６Ｂと同様に、印刷待機処理中における照明や音声による演出が効果的になるとともに、外部からののぞき見等を防いでプライバシーを保護することが可能となる。
【００５９】
（本体装置の構成）
次に、本体装置２の構成について、図１を参照しながら説明する。図１は、本体装置２における撮影空間側の面（以降、単に撮影面と称する）の状態を示す斜視図である。同図に示すように、本体装置２の撮影面には、正面上部ライト（照明手段）２１Ａ・２１Ｂ、正面中部ライト（照明手段）２１Ｃ、正面下部ライト（照明手段）２１Ｄ、ライブビューモニター（表示手段）２２、カメラユニット（撮影手段）２３、ミラー２４Ａ・２４Ｂ、コイン収受部２５、および、スピーカー２６Ａ・２６Ｂが設けられている。また、図５は、本体装置２において、撮影空間側から見て側面となる方向から見た際の断面図を示している。
【００６０】
（カメラユニット）
カメラユニット２３は、利用者の写真を撮影するものであり、内部に例えばレンズ群、絞り、ＣＣＤ（charge coupled device）撮像素子などを備えたデジタルカメラを搭載している。また、カメラユニット２３は、全身撮影やアップ撮影等の複数の撮影方法に対応できるように、ズーム、絞り、フィルタ等を切り替え可能に構成されてもよい。
【００６１】
このカメラユニット２３は、本体装置２の撮影面のほぼ中央に設けられている。このカメラユニット２３のレンズ中心における床面からの高さは、およそ１３００ｍｍ程度となっている。なお、このカメラユニット２３のレンズ中心における床面からの高さは、１１００〜１５００ｍｍ程度の間であればよい。
【００６２】
（ライブビューモニター）
ライブビューモニター２２は、撮影処理における各種メッセージや画像などを表示する。具体的には、ライブビューモニター２２には、デモ画面、オープニング画面、課金処理指示画面、撮影処理における各種操作内容、撮影時の撮影画面などが表示される。
【００６３】
このライブビューモニター２２は、例えば液晶表示素子などのフラットパネルディスプレイの表示面にタッチセンサを設けて構成されている。なお、ライブビューモニター２２を、例えばＣＲＴ（cathode ray tube）によって構成しても構わない。
【００６４】
ライブビューモニター２２の画面サイズは１２インチ程度となっている。このように、本実施形態においては、ライブビューモニター２２の画面サイズは、従来の装置におけるライブビューモニター（５〜７インチ程度が主流）に比べて大きくなっている。これにより、撮影時の撮影画面（ライブビュー）をより大きく表示することが可能となるので、利用者は、自分が撮影されている状態をより詳細に確認することが可能となる。ライブビューモニター２２の画面サイズとしては、平均的な利用者の顔面の大きさ程度かそれ以上の大きさであることが好ましく、１０〜１５インチ程度が好ましい。この範囲より画面サイズが小さいと、撮影状態の詳細な把握がしづらくなり、この範囲より画面サイズが大きいと、近接撮影時、すなわち、被写体がカメラユニット２３に対して比較的近い状態で撮影が行われた時における被写体に対する光量の低下が問題となる。
【００６５】
なお、従来の装置では、撮影時の撮影画面を表示するライブビューモニターと、デモ画面、オープニング画面、課金処理指示画面、撮影処理における各種操作内容などを表示する撮影処理用モニターとを互いに別の表示装置で構成するものも存在した。これは、ライブビューモニターの画面サイズが比較的小さいので、撮影処理用モニターに表示すべき内容をライブビューモニターに表示させることが困難であったからである。これに対して、本実施形態の構成では、比較的大きい画面サイズのライブビューモニター２２が設けられているので、従来のライブビューモニターと撮影処理用モニターとを兼用することが可能となっている。したがって、装置コストの低減および本体装置２における撮影面の簡素化を図ることができる。
【００６６】
なお、本実施形態では、撮影処理における各種指示入力は、ライブビューモニター２２におけるタッチパネルにおいて行われるようになっているが、各種指示入力用の操作ボタンを別途設ける構成としても構わない。
【００６７】
ライブビューモニター２２は、カメラユニット２３の下部に設けられている。より詳細には、ライブビューモニター２２の上側枠部分が、正面方向から見て、カメラユニット２３の下面に接するような位置に設けられている。なお、ライブビューモニター２２の正面方向から見た際のライブビューモニター２２の位置としては、カメラユニット２３の近傍にあればよく、カメラユニット２３の上側に配置されていてもよい。さらには、ライブビューモニター２２が、カメラユニット２３の左右どちらかの近傍に配置されていてもよい。また、ライブビューモニター２２は、カメラユニット２３に対して完全に接していなくてもよく、１０ｃｍ以内程度の間隙があってもよい。
【００６８】
また、図５に示すように、ライブビューモニター２２は、カメラユニット２３による撮影方向において、カメラユニット２３よりも撮影方向後方となる位置に配置されている。より詳細には、カメラユニット２３の表面レンズ位置あるいは表面レンズ回りのフード位置のいずれか撮影方向前方側の位置に対して、ライブビューモニター２２の表示面が撮影方向後方となる位置に配置されている。このような配置とすることにより、撮影時、特に近接撮影時において、照明装置としては機能しないライブビューモニター２２の影響による、被写体に対する光量の低下を防止することができる。
【００６９】
（正面上部ライト）
カメラユニット２３の上部および左右には、正面上部ライト２１Ａ・２１Ｂが設けられている。なお、正面上部ライト２１Ａが、撮影空間側から見て左側、正面上部ライト２１Ｂが、撮影空間側から見て右側に配置されているものとする。この正面上部ライト２１Ａ・２１Ｂは、撮影処理中における照明、および、撮影瞬間時の照明を行う照明装置である。正面上部ライト２１Ａ・２１Ｂの内部には、図示はしないが、蛍光灯およびストロボ光源がそれぞれ設けられるとともに、その背後に反射板が設けられている。また、正面上部ライト２１Ａ・２１Ｂの表面には、発光板がそれぞれ設けられている。なお、正面上部ライト２１Ａ・２１Ｂの内部に、蛍光灯が設けられていない構成であってもよい。
【００７０】
正面上部ライト２１Ａ・２１Ｂ内の蛍光灯は、撮影空間内を常時照明するための光源である。また、正面上部ライト２１Ａ・２１Ｂ内のストロボ光源は、撮影の瞬間にストロボ管が発光することによって、強い光を発する光源である。反射板は、ストロボ光源から出射された光を、光照射方向、すなわち発光板方向に反射させるためのものである。
【００７１】
発光板は、蛍光灯およびストロボ光源から出射された光、および反射板で反射された光を拡散させて撮影空間内に照射するものであり、例えば薄い乳白色のアクリル板などによって構成される。
【００７２】
正面上部ライト２１Ａ・２１Ｂにおける発光板は、発光方向正面側から見た際に、それぞれ略四角形状となっている。正面上部ライト２１Ａ側の発光板は、略四角形状の右下の部分が欠けた形状となっており、この欠けた部分にカメラユニット２３およびライブビューモニター２２の上部が配置される。同様に、正面上部ライト２１Ｂ側の発光板は、略四角形状の左下の部分が欠けた形状となっており、この欠けた部分にカメラユニット２３およびライブビューモニター２２の上部が配置される。そして、カメラユニット２３の表面レンズ近傍が、図５に示すように、本体装置２の側面側から見て、カメラユニット２３の近傍における正面上部ライト２１Ａ・２１Ｂの発光板の位置とほぼ同じ位置に配置されている。
【００７３】
なお、カメラユニット２３が、本体装置２の側面側から見て、カメラユニット２３の近傍における正面上部ライト２１Ａ・２１Ｂの発光板の位置よりも、撮影空間側に突き出した構成としてもよい。しかしながら、このような構成とした場合、カメラユニット２３が本体装置２から突き出した構造となるので、撮影空間が狭くなるという問題がある。すなわち、本実施形態のように、正面上部ライト２１Ａ・２１Ｂとカメラユニット２３とを、本体装置２の側面側から見てほぼ同じ位置に配置させることによって、撮影空間をより広く確保することが可能となる。
【００７４】
また、正面上部ライト２１Ａ・２１Ｂのそれぞれの発光板は、カメラユニット２３の上部において互いに接するように配置されている。また、正面上部ライト２１Ａ側の発光板の左側端部は、本体装置２の撮影面における左側端部にほぼ接しており、正面上部ライト２１Ｂ側の発光板の右側端部は、本体装置２の撮影面における右側端部にほぼ接している。また、正面上部ライト２１Ａ・２１Ｂのそれぞれの発光板の上側端部は、本体装置２の上側端部にほぼ接している。すなわち、正面上部ライト２１Ａ・２１Ｂの発光板は、本体装置２の撮影面において、カメラユニット２３近傍の高さ位置から上部となるほぼ全面を占めていることになる。
【００７５】
また、正面上部ライト２１Ａ・２１Ｂの発光板の断面は、図５に示すように、本体装置２の側面側から見て、撮影空間側に凸となる略円弧形状となっている。言い換えれば、正面上部ライト２１Ａ・２１Ｂの発光板は、撮影空間側に凸となるように上下方向に丸みを帯びた形状となっている。このような形状とすることにより、正面上部ライト２１Ａ・２１Ｂから出射される光を上下方向に広く拡散させることが可能となる。特に、このような形状によって、撮影空間の後方、すなわち、本体装置２から遠い撮影空間内の領域にも光をより多く照射することが可能となる。
【００７６】
また、正面上部ライト２１Ａ・２１Ｂから照射される光の中心方向、すなわち、発光板を平面とみなした際の法線方向は、斜め下方となっている。すなわち、正面上部ライト２１Ａ・２１Ｂは、被写体に対して斜め上方から光を照射することになる。
【００７７】
なお、本実施形態における正面上部ライト２１Ａ・２１Ｂの発光板は、上記のように、上下方向に丸みを帯びた形状となっているが、これに限定されるものではなく、正面上部ライト２１Ａ・２１Ｂから出射される光を上下方向に広く拡散させることが可能となる形状であればどのような形状であってもよい。例えば、正面上部ライト２１Ａ・２１Ｂの発光板の断面が、本体装置２の側面側から見て、撮影空間側に凸となる多角形の一部となる形状となっていてもよい。また、本実施形態では、正面上部ライト２１Ａ・２１Ｂが２つの部材から構成されているが、これらが１つの部材によって構成されていてもよい。
【００７８】
また、正面上部ライト２１Ａ・２１Ｂにおける発光板の左右端部には、撮影空間側に突き出した側面部Ｓ１・Ｓ１が設けられている。この側面部Ｓ１・Ｓ１は黒色で着色されている。これにより、正面上部ライト２１Ａ・２１Ｂから出射された光が、側面部Ｓ１・Ｓ１において反射されて被写体の左右方向から光が照射されることを抑制することが可能となっている。これは、左右に広い方向から光が被写体に照射されると、被写体の顔の側面における陰影が必要以上に消えてしまい、立体感のないのっぺりとした撮像となることを防止するためである。なお、この側面部Ｓ２・Ｓ２における着色は、黒色に限らず、光の反射を抑制することが可能な色、例えば濃い灰色、濃紺、茶色、濃緑などの色であってもよい。
【００７９】
（正面中部ライト）
ライブビューモニター２２の下部および左右には、正面中部ライト２１Ｃが設けられている。この正面中部ライト２１Ｃは、撮影処理中における照明、および、撮影瞬間時の照明を行う照明装置である。正面中部ライト２１Ｃの内部には、図示はしないが、蛍光灯およびストロボ光源がそれぞれ設けられるとともに、その背後に反射板が設けられている。また、正面中部ライト２１Ｃの表面には、発光板がそれぞれ設けられている。なお、正面中部ライト２１Ｃの内部に、蛍光灯が設けられていない構成であってもよい。
【００８０】
正面中部ライト２１Ｃ内の蛍光灯は、撮影空間内を常時照明するための光源である。また、正面中部ライト２１Ｃ内のストロボ光源は、撮影の瞬間にストロボ管が発光することによって、強い光を発する光源である。反射板は、ストロボ光源から出射された光を、光照射方向、すなわち発光板方向に反射させるためのものである。
【００８１】
発光板は、蛍光灯およびストロボ光源から出射された光、および反射板で反射された光を拡散させて撮影空間内に照射するものであり、例えば薄い乳白色のアクリル板などによって構成される。
【００８２】
正面中部ライト２１Ｃにおける発光板は、発光方向正面側から見た際に、略四角形状となっているとともに、その上部中心近傍が凹んだ形状となっている。この凹み部分にライブビューモニター２２の下部が配置される。また、正面中部ライト２１Ｃの発光板の上側端部は、正面上部ライト２１Ａ・２１Ｂの発光板の下側端部に近接した状態となっている。
【００８３】
また、正面中部ライト２１Ｃの発光板の左右端部は、正面上部ライト２１Ａ・２１Ｂによる発光板領域の左右端部よりも内側になっている。より詳細には、正面中部ライト２１Ｃの発光板の左側端部は、正面上部ライト２１Ａの発光板の左右方向における中心線の近傍に位置し、正面中部ライト２１Ｃの発光板の右側端部は、正面上部ライト２１Ｂの発光板の左右方向における中心線の近傍に位置している。
【００８４】
また、正面中部ライト２１Ｃにおける発光板は平面形状となっており、その法線方向は、斜め上方となっている。すなわち、正面中部ライト２１Ｃは、被写体に対して斜め下方から光を照射することになる。
【００８５】
ここで、被写体に対して斜め上方から光を照射する正面上部ライト２１Ａ・２１Ｂは、その発光領域が左右に広い状態となっている一方、被写体に対して斜め下方から光を照射する正面中部ライト２１Ｃは、その発光領域が、正面上部ライト２１Ａ・２１Ｂに比較して左右に狭い状態となっていることになる。これは、被写体に対して斜め下方から光を照射する際に、左右に広い方向から光が被写体に照射されると、特に近接撮影が行われている際に、被写体の顔の側面における陰影が必要以上に消えてしまい、立体感のないのっぺりとした撮像となることを防止するためである。
【００８６】
また、正面中部ライト２１Ｃにおける発光板の左右端部には、撮影空間側に突き出した側面部Ｓ２・Ｓ２が設けられている。なお、この側面部Ｓ２・Ｓ２の、正面中部ライト２１Ｃ発光板表面からの高さは、最大となる部分で５ｃｍ以上程度となっている。
【００８７】
また、側面部Ｓ２・Ｓ２は黒色で着色されている。これにより、正面中部ライト２１Ｃから出射された光が、側面部Ｓ２・Ｓ２において反射されて被写体の左右方向から光が照射されることを抑制することが可能となっている。なお、この側面部Ｓ２・Ｓ２における着色は、黒色に限らず、光の反射を抑制することが可能な色、例えば濃い灰色、濃紺、茶色、濃緑などの色であってもよい。
【００８８】
また、正面中部ライト２１Ｃの発光板において、ライブビューモニター２２が配置される領域が凹んだ形状となっているが、ライブビューモニター２２は、正面中部ライト２１Ｃの発光板の発光面よりも、撮影空間側から見て奥側の位置、言い換えれば、正面中部ライト２１Ｃの発光板の発光面よりも本体装置２の内部側に配置されている。このような配置により、非発光体としてのライブビューモニター２２による被写体への照明への影響を低減することが可能となる。
【００８９】
また、ライブビューモニター２２と正面中部ライト２１Ｃの発光板の発光面との間の凹部面Ｓ３にも発光板が設けられている。言い換えれば、ライブビューモニター２２の下端部と正面中部ライト２１Ｃの発光板とを結ぶ面、および、ライブビューモニター２２の左右端部と正面中部ライト２１Ｃの発光板とを結ぶ面からなる凹部面Ｓ３が発光板によって構成されている。この凹部面Ｓ３における発光板から出射された光は、その一部がライブビューモニター２２の表面で反射されて被写体に照射されることになる。これにより、非発光体としてのライブビューモニター２２による被写体への照明への影響をさらに低減することが可能となる。
【００９０】
また、ライブビューモニター２２の枠部分が白色で着色されている。これにより、上記凹部面Ｓ３における発光板から出射された光が上記枠部分で反射されやすくなるので、非発光体としてのライブビューモニター２２による被写体への照明への影響をさらに低減することが可能となる。なお、このライブビューモニター２２の枠部分の着色は白色に限らず、光が反射されやすい色、例えば薄い灰色、銀色などであってもよく、また、金属光沢を有するようになっていてもよい。
【００９１】
なお、上記凹部面Ｓ３における発光板から出射される光は、正面中部ライト２１Ｃにおける光源としての蛍光灯およびストロボ光源を光源とするものとすればよい。
【００９２】
（正面下部ライト２１Ｄ）
正面中部ライト２１Ｃの下部には、正面下部ライト２１Ｄが設けられている。正面下部ライト２１Ｄの発光面には発光板が設けられており、例えば薄い乳白色のアクリル板などによって構成される。なお、正面中部ライト２１Ｃの光源が、正面下部ライト２１Ｄの光源としても用いられる。
【００９３】
また、正面下部ライト２１Ｄの発光板は平面形状となっており、その法線方向は、水平方向となっている。すなわち、正面下部ライト２１Ｄは、基本的に被写体の足下近傍領域を照明するためのものとなる。
【００９４】
なお、正面中部ライト２１Ｃと正面下部ライト２１Ｄとを一体とした構成としても構わない。この場合、例えば正面上部ライト２１Ａ・２１Ｂの発光板と同様に、その断面を、本体装置２の側面側から見て、撮影空間側に凸となる略円弧形状とする構成としてもよいし、本体装置２の側面側から見て、撮影空間側に凸となる多角形の一部となる形状となっていてもよい。
【００９５】
（ストロボ光源）
図６は、本体装置２を撮影空間側から見た際の、正面上部ライト２１Ａ・２１Ｂ、および正面中部ライト２１Ｃの内部状態を示している。同図に示すように、正面上部ライト２１Ａ・２１Ｂにおける発光板の内部には、それぞれストロボ光源２１Ｘ・２１Ｙが設けられている。また、正面中部ライト２１Ｃにおける発光板の内部には、ストロボ光源２１Ｚが設けられている。
【００９６】
また、正面上部ライト２１Ａにおいて、ストロボ光源２１Ｘの配置位置の背後となる反射板上に、黒色塗装領域Ａ１が設けられている。この黒色塗装領域Ａ１は、正面上部ライト２１Ａから照射される光の中心方向から見て、ストロボ光源２１Ｘの配置位置を含む反射板領域の中心近傍領域となっており、ストロボ光源２１Ｘの周囲を囲うような領域となっている。
【００９７】
同様に、正面上部ライト２１Ｂにおいて、ストロボ光源２１Ｙの配置位置の背後となる反射板上に、黒色塗装領域Ａ２が設けられている。この黒色塗装領域Ａ２は、正面上部ライト２１Ｂから照射される光の中心方向から見て、ストロボ光源２１Ｙの配置位置を含む反射板領域の中心近傍領域となっており、ストロボ光源２１Ｙの周囲を囲うような領域となっている。
【００９８】
さらに同様に、正面中部ライト２１Ｃにおいて、ストロボ光源２１Ｚの配置位置の背後となる反射板上に、黒色塗装領域Ａ３が設けられている。この黒色塗装領域Ａ３は、正面中部ライト２１Ｃから照射される光の中心方向から見て、ストロボ光源２１Ｚの配置位置を含む反射板領域の中心近傍領域となっており、ストロボ光源２１Ｚの周囲を囲うような領域となっている。
【００９９】
以上のように、正面上部ライト２１Ａ・２１Ｂ、および正面中部ライト２１Ｃのそれぞれの反射板において、ストロボ光源２１Ｘ・２１Ｙ・２１Ｚのそれぞれの周囲を囲う領域に黒色塗装領域Ａ１・Ａ２・Ａ３が設けられている。これにより、正面上部ライト２１Ａ・２１Ｂ、および正面中部ライト２１Ｃのそれぞれから出射された光の光量をより均一にすることが可能となる。すなわち、このような黒色塗装領域Ａ１・Ａ２・Ａ３が設けられていない場合には、各ライトから光が照射される領域の光量分布が、中心近傍において強くなってしまい、被写体の撮像において不自然な光量の偏りを生じさせてしまうという問題があるが、上記の構成によれば、光量をより均一化させることができるので、より自然な照明状態の撮像を得ることが可能となる。
【０１００】
なお、この黒色塗装領域Ａ１・Ａ２・Ａ３における着色は、黒色に限らず、光の反射を抑制することが可能な色、例えば濃い灰色、濃紺、茶色、濃緑などの色であってもよい。また、黒色塗装領域Ａ１・Ａ２・Ａ３における着色は均一である必要はなく、例えば中心近傍が濃い色となっており、周囲にいくにしたがって色が薄くなるグラデーションとなっていてもよい。
【０１０１】
また、光量の均一化を図るために、正面上部ライト２１Ａ・２１Ｂ、および正面中部ライト２１Ｃのそれぞれの発光板において、中心近傍において光の拡散効果が強くなる構造または着色とし、周辺領域において光の拡散効果が弱くなる構造または着色としてもよい。
【０１０２】
（本体装置におけるその他の構成）
撮影空間側から見て左側の側面部Ｓ２と左側の側面部Ｓ１との間の面、および、撮影空間側から見て右側の側面部Ｓ２と右側の側面部Ｓ１との間の面には、ミラー２４Ａ・２４Ｂが設けられている。このミラー２４Ａ・２４Ｂは、アクリルによって構成されており、その表面が鏡面加工されている。利用者は、このミラー２４Ａ・２４Ｂを用いて身だしなみなどのチェックを行うことが可能となっている。
【０１０３】
また、本体装置２の撮影面における右側下部にはコイン収受部２５が設けられている。コイン収受部部２５は、利用者がプレイ料金として所定金額のコインを投入するための投入口、および、釣り銭が生じた場合や、コインが投入された後でリセットされた場合に、コインを利用者に対して返却するための返却口などを備えている。また、本体装置２の内部には、利用者から徴収したコインを蓄積するコイン容器（図示せず）が設けられている。
【０１０４】
また、本体装置２の撮影面における左右下部には、スピーカー２６Ａ・２６Ｂが設けられている。スピーカー２６Ａ・２６Ｂは、利用者に対して各種操作上のガイダンス音声や効果音などを出力するものである。なお、このスピーカー２６Ａ・２６Ｂの位置はこの位置に限定されるものではなく、本体装置２の上部や、背景装置３側などに設けられていてもよい。
【０１０５】
（背景装置の構成）
次に、背景装置３の構成について、図４を参照しながら説明する。図４は、背景装置３における撮影空間側の面の状態を示す斜視図である。同図に示すように、背景装置３は、後方上部ライト（照明手段）３１Ａ、後方右部ライト（照明手段）３１Ｂ、後方左部ライト（照明手段）３１Ｃ、後方下部ライト（照明手段）３２、および背景カーテン装置３３を備えている。
【０１０６】
背景カーテン装置３３は、例えば様々な色、あるいは様々な絵柄や模様の背景カーテン（背景シート）を複数枚背景となる位置に用意しておき、これらを切り替えることによって、利用者の好みに応じた背景を演出することが可能となっている。この背景カーテン装置３３は、モータ制御によって背景カーテンを切り替え可能な構成となっていてもよいし、利用者がめくったりスライドさせたりすることによって切り替え可能な構成となっていてもよい。なお、図４では、背景カーテンが格納されている状態を示しており、撮影時には、背景カーテンが撮影空間の背景領域に位置することになる。
【０１０７】
（後方下部ライト）
後方下部ライト３２は、背景領域に位置した背景カーテンに対して、撮影空間側とは反対側の領域（以降、カーテン裏領域と称する）に位置している。より詳細には、後方下部ライト３２は、カーテン裏領域において、カメラユニット２３による撮像範囲領域における左右方向の中心線近傍で、かつ、背景カーテンの下部領域となる高さ位置に配置されている。なお、後方下部ライト３２の配置位置の床面からの高さの範囲としては、０〜７０ｃｍ程度であればよい。
【０１０８】
この後方下部ライト３２は、撮影処理中における照明、および、撮影瞬間時の照明を行う照明装置である。後方下部ライト３２の内部には、図示はしないが、蛍光灯およびストロボ光源がそれぞれ設けられるとともに、その背後に反射板が設けられている。また、後方下部ライト３２の表面には、発光板がそれぞれ設けられている。なお、後方下部ライト３２の内部に、蛍光灯が設けられていない構成であってもよい。
【０１０９】
後方下部ライト３２内の蛍光灯は、背景カーテンを常時照明するための光源である。また、後方下部ライト３２内のストロボ光源は、撮影の瞬間にストロボ管が発光することによって、強い光を発する光源である。反射板は、ストロボ光源から出射された光を、光照射方向、すなわち発光板方向に反射させるためのものである。
【０１１０】
発光板は、蛍光灯およびストロボ光源から出射された光、および反射板で反射された光を拡散させて背景カーテンに照射するものであり、例えば薄い乳白色のアクリル板などによって構成される。
【０１１１】
後方下部ライト３２の発光方向は、ほぼ鉛直上方向となっており、背景カーテンの裏側を下方向から照明するようになっている。なお、後方下部ライト３２の発光方向は、斜め上方向となっていてもよい。
【０１１２】
以上のように、後方下部ライト３２によって背景カーテンの裏側から背景カーテンの中心近傍下部領域が照明されることになる。このような照明が行われない状態で撮影が行われると、撮像画像において、被写体の前方から照射される光による被写体の影となることによって、背景の中心近傍下部領域が暗くなってしまうことがある。この場合、その後の編集処理において、例えばクロマキー処理などを行う際に、暗くなっている領域の色を抜くことができなくなる、というような不具合が生じることになる。これに対して、本実施形態の構成のように、背景カーテンの中心近傍下部領域が照明されることによって、被写体の影となることによる背景の中心近傍下部領域の明度低下を防止することが可能となるので、背景全域に対して的確にクロマキー処理を行うことが可能となる。
【０１１３】
なお、本実施形態では、１つの後方下部ライト３２が背景カーテンの中心近傍下部領域を照明するようになっているが、これに限定されるものではなく、複数の後方下部ライトによって背景カーテンの中心近傍下部領域を照明するようになっていてもよい。
【０１１４】
（後方上部・左右ライト）
後方上部ライト３１Ａ、後方右部ライト３１Ｂ、後方左部ライト３１Ｃは、被写体の後方から被写体を照明するためのライトである。
【０１１５】
この後方上部ライト３１Ａ、後方右部ライト３１Ｂ、後方左部ライト３１Ｃは、撮影処理中における照明、および、撮影瞬間時の照明を行う照明装置である。後方上部ライト３１Ａ、後方右部ライト３１Ｂ、後方左部ライト３１Ｃのそれぞれの内部には、図示はしないが、蛍光灯およびストロボ光源がそれぞれ設けられるとともに、その背後に反射板が設けられている。また、後方上部ライト３１Ａ、後方右部ライト３１Ｂ、後方左部ライト３１Ｃのそれぞれの表面には、後述するスリットがそれぞれ設けられている。なお、後方上部ライト３１Ａ、後方右部ライト３１Ｂ、後方左部ライト３１Ｃのそれぞれの内部に、蛍光灯が設けられていない構成であってもよい。
【０１１６】
後方上部ライト３１Ａ、後方右部ライト３１Ｂ、後方左部ライト３１Ｃ内の蛍光灯は、撮影空間内を常時照明するための光源である。また、後方上部ライト３１Ａ、後方右部ライト３１Ｂ、後方左部ライト３１Ｃ内のストロボ光源は、撮影の瞬間にストロボ管が発光することによって、強い光を発する光源である。反射板は、ストロボ光源から出射された光を、光照射方向、すなわちスリット方向に反射させるためのものである。
【０１１７】
後方上部ライト３１Ａは、被写体に対して後方上方向から光を照射するライトであり、左右方向に長い長方形の発光領域を有するライトである。後方右部ライト３１Ｂは、被写体に対して後方右方向から光を照射するライトであり、上下方向に長い長方形の発光領域を有するライトである。後方左部ライト３１Ｃは、被写体に対して後方左方向から光を照射するライトであり、上下方向に長い長方形の発光領域を有するライトである。このように被写体の後方から被写体に対して光が照射されることによって、被写体の頭髪部分にきれいな光があたっている状態での撮影が可能となる。
【０１１８】
図７は、後方上部ライト３１Ａの一部を発光方向正面から見た際の平面図である。なお、ここでは、後方上部ライト３１Ａについて説明するが、後方右部ライト３１Ｂ、後方左部ライト３１Ｃも同様の構成となっている。同図に示すように、後方上部ライト３１Ａの発光領域には、左右方向に設けられた複数のスリット（第１スリット）ＳＬ１…、および、上下方向に設けられた複数のスリット（第２スリット）ＳＬ２…が設けられている。スリットＳＬ１…は、左右方向において、互いに平行であり、かつ、互いに等間隔となるように設けられている。
【０１１９】
一方、スリットＳＬ２…は、互いに隣り合うスリットＳＬ１・ＳＬ１の間となるスリット間領域のそれぞれに、上下方向、すなわち、スリットＳＬ１…の方向にほぼ垂直な方向に設けられているとともに、互いに隣り合うスリット間領域において、スリットＳＬ２…が配置される左右方向位置が異なっている。言い換えれば、任意のスリット間領域に設けられているスリットＳＬ２…の左右方向配置位置と、そのスリット間領域に隣り合うスリット間領域に設けられているスリットＳＬ２…の左右方向配置位置とが異なっていることになる。
【０１２０】
ここで、後方上部ライト３１ＡにおいてスリットＳＬ１…およびスリットＳＬ２…が設けられている理由について説明する。図８は、後方上部ライト３１Ａにおける発光状態を模式的に示している。同図に示すように、光源から出射された拡散光は、複数のスリットＳＬ…同士の間を通過することによって、指向性を有する光として外部に出射される。すなわち、後方上部ライト３１ＡにおいてスリットＳＬ１…およびスリットＳＬ２…が設けられていることによって、必要な領域にのみ光を照射することが可能となり、撮像状態を良好にするための照明状態のコントロールを行い易くすることが可能となる。
【０１２１】
次に、任意のスリット間領域に設けられているスリットＳＬ２…の左右方向配置位置と、そのスリット間領域に隣り合うスリット間領域に設けられているスリットＳＬ２…の左右方向配置位置とが異なっていることの理由について説明する。
【０１２２】
まず、任意のスリット間領域に設けられているスリットＳＬ２…の左右方向配置位置と、そのスリット間領域に隣り合うスリット間領域に設けられているスリットＳＬ２…の左右方向配置位置とが同じである場合を考える。この場合、スリットＳＬ２…が上下方向に連続して配置されることになり、この連続して配置されるスリットＳＬ２による直線状の影が光照射対象に生じることになる。
【０１２３】
これに対して、任意のスリット間領域に設けられているスリットＳＬ２…の左右方向配置位置と、そのスリット間領域に隣り合うスリット間領域に設けられているスリットＳＬ２…の左右方向配置位置とが異なっている場合には、各スリットＳＬ２による影が生じる場所が分散されるので、スリットＳＬ２による影の影響を緩和することが可能となる。よって、より均一な光を光照射対象に照射することが可能となる。
【０１２４】
なお、スリットＳＬ１に関しては、左右方向に連続して配置されているので、上記の影の問題が生じることになる。よって、これを解消するためには、例えばスリットをハニカム構造、すなわち六角形が連続した構造となるように設けることが考えられる。しかしながら、このようなハニカム構造のスリットを作成することは比較的困難であり、コストの上昇を招くことになる。これに対して、本実施形態における後方上部ライト３１Ａのスリット構造によれば、スリットＳＬ１…を直線状に形成した後に、スリット間領域にスリットＳＬ２…を形成すればよいので、比較的容易にスリットを形成することが可能となる。すなわち、本実施形態における後方上部ライト３１Ａのスリット構造によれば、コストの上昇を抑制しつつ、スリットの影による影響を抑えることが可能となる。
【０１２５】
なお、上記したように、後方右部ライト３１Ｂ、後方左部ライト３１Ｃも後方上部ライト３１Ａと同様の構成となっているが、後方右部ライト３１Ｂ、後方左部ライト３１Ｃでは、スリットＳＬ１の方向が上下方向となっている点で異なっている。
【０１２６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１２７】
本発明の写真撮影プリント装置は、例えば、ゲームセンターなどの娯楽施設や遊戯施設において、利用者の写真撮影を行うとともに、その写真を背景画像などと合成した上でシールプリントとして出力する写真撮影プリント装置に利用することができる。
【図面の簡単な説明】
【０１２８】
【図１】本発明の一実施形態に係る写真撮影プリント装置が備える本体装置における撮影空間側の面の状態を示す斜視図である。
【図２】上記写真撮影プリント装置の外観を示す斜視図である。
【図３】図２とは異なる角度からの上記写真撮影プリント装置の外観を示す斜視図である。
【図４】上記写真撮影プリント装置が備える背景装置における撮影空間側の面の状態を示す斜視図である。
【図５】上記本体装置において、撮影空間側から見て側面となる方向から見た際の断面図である。
【図６】上記本体装置を撮影空間側から見た際の、正面上部ライトおよび正面中部ライトの内部状態を示す正面図である。
【図７】後方上部ライトの一部を発光方向正面から見た際の平面図である。
【図８】後方上部ライトにおける発光状態を模式的に示す図である。
【符号の説明】
【０１２９】
１  写真撮影プリント装置
２  本体装置
３  背景装置
４  第２編集装置
６Ａ  第１カーテン
６Ｂ  第２カーテン
６Ｃ  第３カーテン
１１  印刷待機用タッチパネル
１２  プリント排出口
１３Ａ・１３Ｂ  編集処理用タッチパネル
１９  プリント排出口
２１Ａ・２１Ｂ  正面上部ライト（照明手段）
２１Ｃ  正面中部ライト（照明手段）
２１Ｄ  正面下部ライト（照明手段）
２１Ｘ・２１Ｙ・２１Ｚ  ストロボ光源
２２  ライブビューモニター（表示手段）
２３  カメラユニット（撮影手段）
３１Ａ  後方上部ライト（照明手段）
３１Ｂ  後方右部ライト（照明手段）
３１Ｃ  後方左部ライト（照明手段）
３２  後方下部ライト（照明手段）
３３  背景カーテン装置
Ａ１・Ａ２・Ａ３  黒色塗装領域
Ｓ１  側面部
Ｓ２  側面部
Ｓ３  凹部面
ＳＬ１  スリット（第１スリット）
ＳＬ２  スリット（第２スリット）
【図１】
2006058794.tif 000003
【図２】
2006058794.tif 000004
【図３】
2006058794.tif 000005
【図４】
2006058794.tif 000006
【図５】
2006058794.tif 000007
【図６】
2006058794.tif 000008
【図７】
2006058794.tif 000009
【図８】
2006058794.tif 000010